(57)【特許請求の範囲】
【請求項１】
スラリーのろ過、ケーキの乾燥を行うろ過槽の洗浄において、ろ過槽Ａの外壁面に固定する固定部材１に案内部材２を延長して設置し、固定部材１内を密に貫通して往復移動する噴射管３の先端には洗浄水の噴射ノズル５を設けるとともに噴射管３の基部には洗浄水の供給管７を接続し、噴射管３の先端に設けた蓋体６は固定部材１内に密に嵌め込み可能としたことを特徴とするろ過・乾燥装置の洗浄装置。
【請求項２】
洗浄水の噴射方向は上向きである請求項１に記載するろ過・乾燥装置の洗浄装置。
【発明の詳細な説明】
【０００１】
【発明の属する技術分野】
本発明は、スラリー状物質のろ過、ケーキの乾燥を連続して行うことのできるろ過・乾燥装置におけるろ過槽の洗浄方法および洗浄装置に関するものである。
【０００２】
【従来の技術】
図５は、従来のろ過・乾燥装置の一例を示すものであり、ろ過、乾燥を行うろ過槽ａは、円筒状とした胴部ｂの片側（図面において上方）に円錐部ｃを一体に形成するとともに胴部ｂ内の底部にはろ過板ｄを設け、胴部ｂの外周はジャケットｅで覆った二重壁構造となっている。胴部ｂの両側には回転あるいは反転用の駆動軸ｆが突設してあり、基台ｇ上に回転可能に軸支した駆動軸ｆは図示しないモータのような回転駆動機構によって回転または可能となっている。
【０００３】
上記するろ過槽ａによってスラリーのろ過、ケーキの乾燥を行うには、円錐部ｃの上部側から胴部ｂ内にスラリーを連続して供給する。そして、ろ過槽ａ内を加圧あるいは減圧した状態でろ過処理を行えば、スラリーはろ過板ｄでろ過され、ろ過板ｄ上にはケーキｈが形成される。ろ液は、ろ過板ｄを通って胴部ｂの下側に設けたろ液排出管ｉから排出される。
【０００４】
所定の厚さのケーキｈ層が形成されると、スラリーの供給を停止し、次にケーキｈの乾燥処理を行う。ケーキｈの乾燥処理を行うには、ジャケットｅ内に外部から蒸気、熱水等の熱媒体を供給し、循環させて胴部ｂ全体を加熱し、ろ過槽ａを駆動軸ｆを中心にして回転あるいは反転させればよく、ケーキｈは徐々に乾燥されて最終的に結晶あるいは粉粒体を生成する。そして、図５の状態から上下を逆転し、円錐部ｃを下向きにして結晶や粉粒体を排出する。
【０００５】
【発明が解決しようとする課題】
上記のようにしてろ過後にケーキが形成された時、ろ過槽ａの内壁面にはスラリー状物質が付着しており、また、ケーキには不純物が含まれている。このため、ろ過槽ａ内を洗浄する必要がある。従来は、図６および図７に示すように、ろ過槽ａの側面から内部へ水平状に噴射管ｊを入れ、先端のノズルｋから洗浄水を噴霧状に噴射していた。
【０００６】
しかし、洗浄水はケーキｈに向けて下向きに噴射されるだけであるので、ケーキｈに含まれている不純物を洗い出すことはできるが、ろ過槽ａの上部における内壁面を洗浄することはできないものであった。特に、図６の場合、噴射管ｊはろ過槽ａに固定して突出状態であるから、スラリー状物質が洗浄管ｊの回りに付着し、乾燥後は取り除くことができず、また、ノズルｋがスラリーで目詰まりを起こす原因となっていた。
【０００７】
図７の場合にはろ過槽ａに対して噴射管ｊを出し入れ可能としてある。このため、ろ過槽ａの側面には外部への突出部を形成して筒状の案内部材ｍを形成してあるが、スラリー状物質あるいは乾燥中のケーキがこの案内部材ｍ内に入って固化し、噴射管ｊの出し入れができなくなることがあるので、案内部材ｍから固化物を取り除く必要があった。尚、図６および図７の場合、洗浄後の液体はろ過液の排出管ｉを通して排出される。
【０００８】
本発明は、上記する従来のろ過槽内の洗浄技術の種々の問題点に鑑み、洗浄水の噴射ノズルをろ過槽内に出入り可能とするとともにろ過槽の上部内壁面を洗浄し、同時にケーキ中の不純物の洗い出しを行うようにしたろ過・乾燥装置の洗浄方法および洗浄装置を提供することを目的とするものである。
【０００９】
【課題を解決するための手段】
上記する目的を達成するために本発明洗浄方法は、スラリーのろ過、ケーキの乾燥を行うろ過槽の洗浄において、洗浄水をろ過槽の上面に向けて噴射し、内壁面に付着しているスラリーを洗い流すとともに洗浄液によってケーキ中の不純物を洗い出すようにしてある。
【００１０】
また、本発明洗浄装置は、スラリーのろ過、ケーキの乾燥を行うろ過槽の洗浄において、ろ過槽Ａの外壁面に固定する固定部材１に案内部材２を延長して設置し、固定部材１内を密に貫通して往復移動する噴射管３の先端には洗浄水の噴射ノズル５を設けるとともに噴射管３の基部には洗浄水の供給管７を接続し、噴射管３の先端に設けた蓋体６は固定部材１内に密に嵌め込み可能としてあり、洗浄水の噴射方向は上向きである。
【００１１】
【発明の実施の形態】
以下、図面に従って、本発明の実施の形態を詳細に説明する。
図１、図２は、本発明洗浄方法および洗浄装置の一実施形態を示すものであり、本発明において使用する洗浄装置は、ろ過槽への固定部材１と、この固定部材１に対して水平方向へ延長して設けた円筒状の案内部材２と、固定部材１内をパッキンを介して密に貫通、摺動する噴射管３と、この噴射管３を水平方向に往復移動させるシリンダー４とからなっている。
【００１２】
噴射管３の先端部には、上向きに洗浄水を噴射可能なノズル５を突設するとともに先端には密閉用の円板状の蓋体６が固定してあり、この蓋体６は、固定部材１の先端部内にパッキンを介して密に嵌まるようになっている。このため、固定部材１内には突出するノズル５が納まる空間が形成してある。
【００１３】
また、図２、図３に示すように、噴射管３の基部には、案内部材２から上方に突出する洗浄水の供給管７が接続してある。このため、案内部材２の上面には供給管７が往復移動可能なように案内溝８が形成してあり、案内溝８の両側には供給管７を安定して案内するための案内板９が固定してある。
【００１４】
上記する洗浄装置は、前記した従来公知のろ過・乾燥装置のろ過槽Ａの外壁面に固定部材１を介して水平状態で固定され、その高さ位置は、少なくともろ過槽内に形成されたケーキの上面よりも上方に設置される。また、一台のろ過槽には複数台の洗浄装置を設置してもよく、複数台設置した場合には、各洗浄装置の高さ位置や噴射ノズル５の方向は異なるようにしてもよい。
【００１５】
本発明洗浄装置は上記の構成であり、次に使用状態について説明する。
スラリーのろ過、ケーキの乾燥中は、図２に示すように、蓋体６は固定部材１内に位置しており、スラリーや粉体等が外部に漏れ出ないようにしてある。
ろ過が終了し、ケーキが形成されたことを確認すると、シリンダー４により噴射管３を前進（図２において右方向）させ、図４に示すように、ノズル５がろ過槽Ａ内の所定の位置にまで達すると停止させる。
【００１６】
そして、噴射管３と同時に前進、移動する供給管７には、図示しない洗浄水の供給装置から配管を通して洗浄水を圧送すれば、洗浄水は噴射管３を通ってノズル５から上方へろ過槽Ａの内壁面に向けて噴霧状に噴射されることになる。
尚、図面においてノズル５は、噴射管３の前進方向に向けて傾斜させてあるが、この傾斜角度は自由に選ぶことができ、また、単に垂直上方に向けてもよい。
【００１７】
噴射された液体によってろ過槽Ａの内壁面に付着しているスラリーは洗い流され、ケーキの上面に落ちてろ過される。ケーキ内にしみ込んだ洗浄液および内壁面から滴となって落ちた洗浄液は、ケーキおよびろ過板の中を通り、ろ過槽Ａの下面に設けたろ液排出口から排出されるが、ケーキの中を通る時にケーキ内の不純物を洗い出す作用を有している。
【００１８】
蓋体６がろ過槽Ａ内に入ることにより、固定部材１内は解放状態となるが、固定部材１と噴射管３とは密な嵌め合い状態となっているので、洗浄液や洗浄液を含んだスラリーが案内部材２内に入ることはない。
【００１９】
洗浄が終了するとシリンダー４により噴射管３を引き戻し、蓋体６を固定部材１内に嵌め込めばよく、蓋体６とろ過槽Ａの内壁面とは面一状態であるので、ろ過中や乾燥中にスラリーや粉が固定部材１内に入ることはない。
尚、案内部材２および噴射管３の長さを長くすることにより、ノズル４の噴射位置を自由に選ぶことができ、広範囲の洗浄が可能である。
【００２０】
【発明の効果】
以上、説明した本発明によれば、ろ過槽Ａの外壁面に設置した洗浄装置は、ろ過作業中やケーキの乾燥中、噴射管３先端の蓋体６は固定部材１の先端部内に密に嵌まり込んでいるので、スラリーや粉が外部に放出されることはない。
ろ過が終了した時に噴射管３をろ過槽Ａ内に延ばし、先端のノズル５から洗浄水を噴射することにより、ろ過槽Ａの内壁面に付着しているスラリーを洗い流し、流されたスラリーはケーキ上に落ちてろ過処理がなされる。ケーキを通る洗浄液は、ケーキ内の不純物を洗い出すので、乾燥後には不純物が全くない、あるいは、不純物が極めて少ない結晶や粉粒体が得られる。
【図面の簡単な説明】
【図１】本発明洗浄装置の平面図である。
【図２】本発明洗浄装置を側面から見た断面図である。
【図３】案内部材を拡大した縦断面図である。
【図４】ノズルから洗浄水を噴射した状態の洗浄装置の断面図である。
【図５】従来のろ過・乾燥装置の一例を示す断面図である。
【図６】従来の洗浄装置の一例を示すろ過槽の断面図である。
【図７】従来の洗浄装置の他の例を示すろ過槽の断面図である。
【符号の説明】
１  固定部材
２  案内部材
３  噴射管
４  シリンダー
５  噴射ノズル
６  蓋体
７  洗浄水供給管
８  案内溝
９  案内板
【図１】
0003543193.tif 000002
【図２】
0003543193.tif 000003
【図３】
0003543193.tif 000004
【図４】
0003543193.tif 000005
【図５】
0003543193.tif 000006
【図６】
0003543193.tif 000007
【図７】
0003543193.tif 000008